(57)【要約】【課題】  携帯端末装置の周囲温度によって、照明装置に流せる電流を調整し、高温では最大定格を超えず、常温では十分な表示特性が得られるだけの電流を照明装置に流すことができるようにする。【解決手段】  携帯端末装置の情報表示面５、または、情報表示面と操作入力部とを照明するための照明装置、前記端末装置の周辺の光量を検出する光量検出手段１、前記端末装置の周囲温度を検出する温度検出手段３、前記光量検出手段によって検出された光量情報と、前記温度検出手段によって検出された温度情報とに基づいて、前記照明装置の駆動電流を制御し前記情報表示面の輝度を調節する調光制御手段７、８を備えた携帯端末装置。【選択図】図１
2006254304.tif 000002
【特許請求の範囲】
【請求項１】
携帯端末装置の情報表示部、または、情報表示部と操作入力部とを照明するための照明装置、前記端末装置の周辺の光量を検出する光量検出手段、前記端末装置の周囲温度を検出する温度検出手段、前記光量検出手段によって検出された光量情報と、前記温度検出手段によって検出された温度情報とに基づいて、前記照明装置の駆動電流を制御し前記情報表示部の輝度を調節する調光制御手段を備えた携帯端末装置。
【請求項２】
前記温度検出手段は、周囲温度によって２値の出力を持つ温度センサーを有し、前記調光制御手段は、周辺光量に対する照明装置の最適な駆動電流の大きさを、予め、常温時と高温時の２種類について設定した第一のプロファイルと第二のプロファイルを内蔵しており、前記温度センサーの出力に応じて、前記調光制御手段が第一のプロファイルまたは第二のプロファイルを用いて前記照明装置の駆動電流を制御するようにしたことを特徴とする請求項１に記載の携帯端末装置。    
【請求項３】
前記温度検出手段は、周囲温度の変化に従って連続的な値を出力する温度検出器を備え、前記調光制御手段は、照明装置の駆動電流の、温度に対応した最大電流の調整と、周辺光量の変化に対応した電流値の調整を連続的に行なうよう構成したことを特徴とする請求項１に記載の携帯端末装置。  
【発明の詳細な説明】
【技術分野】
【０００１】
この発明は、たとえば、携帯電話機のような情報表示部を備えた携帯端末装置において、特に、情報表示部を照明するための照明装置による照明輝度を、周囲環境に合わせて最適な状態に制御できるようにした携帯端末装置に関するものである。
【背景技術】
【０００２】
周囲の状況に応じて、バックライトやキー照明装置などの照明装置を適切なタイミングで自動的に点灯および消灯させるようにした従来の携帯端末装置としては、例えば、特開２００２−１７１３４０号公報（以下、特許文献１という。）がある。
この従来の携帯端末装置の調光機能は、情報表示装置の表示面を照明するための照明装置と、装置本体の周辺の明るさを検出することが可能な位置に配備された光検出手段と、この光検出手段の出力信号に基づいて、照明装置の点灯および消灯を制御する照明制御手段を具える構成とされている。
【０００３】
【特許文献１】特開２００２−１７１３４０号公報
【発明の開示】
【発明が解決しようとする課題】
【０００４】
このような従来の携帯端末装置が備える調光機能では、温度に関する制御が含まれない構成であるため、バックライト等の照明装置の最大定格を守るためには、照明装置に流す最大電流を、高温での値に設定する必要があった。
従って、更に電流を流すことのできる常温時でも、高温時での低い設定値に制限され、照明装置に必ずしも十分な電流を供給することができず、結果的に、照明は暗く十分な表示特性が得られないという問題点があった。
【０００５】
この発明は上記のような従来の問題点を解消するためになされたもので、携帯端末装置の周囲温度によって照明装置に流せる電流を調整し、高温では最大定格を超えず、常温では十分な表示特性が得られるだけの電流を照明装置に流すことのできる調光機能を備えた携帯端末装置を得ることを目的とする。
【課題を解決するための手段】
【０００６】
この発明に係る携帯端末装置は、携帯端末装置の情報表示部、または、情報表示部と操作入力部とを照明するための照明装置、前記端末装置の周辺の光量を検出する光量検出手段、前記端末装置の周囲温度を検出する温度検出手段、前記光量検出手段によって検出された光量情報と、前記温度検出手段によって検出された温度情報とに基づいて、前記照明装置に供給される駆動電流を制御し照明装置の照明輝度を調節する調光制御手段を備えたものである。
【発明の効果】
【０００７】
この発明によれば、調光制御手段が温度検出手段の出力を参照して照明装置の駆動電流を制御するように構成したので、周囲温度に対して最適の照明装置動作条件を設定することが可能となり、携帯端末装置の情報表示特性が向上する。
【発明を実施するための最良の形態】
【０００８】
実施の形態１．
この発明の実施の形態１について、図１、図２を参照しながら説明する。
図１は、この発明の実施の形態１の主要な構成を示す制御ブロック図、図２は、周辺光量とバックライト電流との関係の一例を示す図である。
図１において、１は、周囲の光量を検出する光センサー、２は、光センサー１の出力を受け取る光検出部、３は、周囲温度を検出する温度センサーで、この場合は、ある一定の温度閾値を持ち、その温度より周囲温度が上か下かの２値を出力するものである。
４は、温度センサー３の出力を受け取る温度検出部である。５は、携帯端末装置において情報を表示する表示装置、６は、表示装置５を照明するためのバックライト（図示せず。）に電流を供給するＬＥＤコントローラ、７は、ＬＥＤコントローラ６を制御する照明制御部、８は、光検出部２および温度検出部３の情報を元に照明制御部７の動作を決定する調光制御回路部である。なお、この調光制御回路部８には、図２に示すように、予め、周辺光量に対する最適なバックライト電流の大きさを、常温時と高温時の２種類について設定したプロファイルが内蔵されている。
【０００９】
次に、実施の形態１の動作について説明する。
温度センサー３による検出温度が常温時のものである場合には、光センサー１で周辺光量を検出した調光制御回路部８は、あらかじめ内蔵している常温時の、周辺光量に応じたバックライト電流値のプロファイルに従って、ＬＥＤコントローラ６に指示を出す。
その結果、表示装置５は、周辺光量に応じた輝度により、最適な表示特性を保つことができる。
【００１０】
また、温度センサー３が持つある閾値以上の温度になった場合、すなわち、高温時には、常温条件でのバックライト電流をそのまま流すと最大定格を超えてしまう可能性があるので、調光制御回路部８がそれを検出し、内蔵されているもう一つの高温時のプロファイルに従ってＬＥＤコントローラ６に指示を出す。こうすることで、表示装置５の最大定格を超えないように照明制御が可能になる。
【００１１】
以上のように、この発明の実施の形態１によれば、温度検出手段は、周囲温度によって２値の出力を持つ温度センサー３を有し、調光制御手段は、周辺光量に対する照明装置の最適な駆動電流の大きさを、予め、常温時と高温時の２種類について設定した第一のプロファイルと第二のプロファイルを内蔵しており、前記温度センサーの出力に応じて、前記調光制御手段が第一のプロファイルまたは第二のプロファイルを用いて照明装置の駆動電流を制御するように構成したので、周囲温度に対して最適の照明装置動作条件を設定することが可能となり、携帯端末装置の情報表示特性が向上する効果がある。
【００１２】
実施の形態２．
図３は、この発明の実施の形態２の主要な構成を示す制御ブロック図、図４は、周辺光量とバックライト電流との関係、および周囲温度とピーク時バックライト電流の関係を示す図である。
図３において、上記実施の形態１の図１と異なるところは、温度センサー３に代えて、周囲温度の変化に従って連続的な値を出力するサーミスタ等の温度検出器９を用いた点である。その他の構成は図１と同等であり、説明は省略する。
【００１３】
この実施の形態２においては、図４のように、調光制御回路部８に内蔵するプロファイルの構成を、温度によるピーク時バックライト電流の調整と、周辺光量によってピーク時バックライト電流の何％流すかの調整の２つにする。
このようにすることで、周辺光量と周囲温度の変化に対して連続的に最適な表示特性が得られる照明制御が可能となる。
【００１４】
実施の形態３．
図５はこの発明の実施の形態３の主要な構成を示す制御ブロック図である。なお、図１との同一符号は、同一または相当部分を示す。
上述の実施の形態１、２においては、携帯端末装置の情報を表示する表示装置の照明制御について説明したが、図５のように、表示装置５だけでなく、操作入力部（操作キー）のキーバックライト１０の輝度の照明制御を同時に実施することも可能である。
【図面の簡単な説明】
【００１５】
【図１】この発明の実施の形態１による携帯端末装置の主要な構成を示す制御ブロック図である。
【図２】この発明の実施の形態１における周辺光量とバックライト電流との関係を示す図である。
【図３】この発明の実施の形態２の主要な構成を示す制御ブロック図である。
【図４】この発明の実施の形態２における周辺光量とバックライト電流の関係、および周囲温度とピーク時バックライト電流の関係を示す図である。
【図５】この発明の実施の形態３の主要な構成を示す制御ブロック図である。
【符号の説明】
【００１６】
１  光センサー      ２  光検出部        ３  温度センサー
４  温度検出部      ５  表示装置        ６  ＬＥＤコントローラ
７  照明制御部      ８  調光制御回路部      ９  温度検出器
１０  キーバックライト 
【図１】
2006254304.tif 000003
【図２】
2006254304.tif 000004
【図３】
2006254304.tif 000005
【図４】
2006254304.tif 000006
【図５】
2006254304.tif 000007